(57)【要約】【課題】撮像素子の実際の温度を反映した適切なノイズリダクション動作を行えるようにして、ノイズリダクション性に優れた撮像画像を取得できるようにする。【解決手段】光学系６０１及び６０２を介して入射した被写体像を画像信号として検出する撮像素子６０４と、撮像装置内の温度を測定する温度センサ６２３と、温度センサ６２３で測定された温度と前記光学系に係る位置とに基づいて、撮像素子６０４に対して露光を行うことにより得られた第１の画像データから撮像素子６０４を遮光することにより得られた第２の画像データを減算処理するノイズリダクション動作の実行を制御するシステム制御部６１９とを具備する。【選択図】図１
2007300189.tif 000002
【特許請求の範囲】
【請求項１】
入射した被写体像を画像信号として検出する撮像素子と、
前記被写体像を前記撮像素子に対して入射させる光学系と、
当該撮像装置内の温度を測定する温度測定手段と、
前記撮像素子に対して露光を行うことにより第１の画像データを取得する第１の画像データ取得手段と、
前記撮像素子を遮光することにより第２の画像データを取得する第２の画像データ取得手段と、
前記温度測定手段により測定された温度と前記光学系に係る位置とに基づいて、前記第１の画像データから前記第２の画像データを減算処理するノイズリダクション動作の実行を制御する制御手段と
を有することを特徴とする撮像装置。
【請求項２】
前記光学系は、ズーム制御を行うズーム光学系を含むものであり、
前記制御手段は、前記温度測定手段により測定された温度と前記ズーム光学系に係るズーム位置とに基づいて、前記ノイズリダクション動作の実行を制御することを特徴とする請求項１に記載の撮像装置。
【請求項３】
前記光学系は、フォーカス制御を行うフォーカス光学系を含むものであり、
前記制御手段は、前記温度測定手段により測定された温度と前記フォーカス光学系に係るフォーカス位置とに基づいて、前記ノイズリダクション動作の実行を制御することを特徴とする請求項１に記載の撮像装置。
【請求項４】
入射した被写体像を画像信号として検出する撮像素子と、前記被写体像を前記撮像素子に対して入射させる光学系と、当該撮像装置内の温度を測定する温度測定手段とを具備する撮像装置の駆動方法であって、
前記撮像素子に対して露光を行うことにより第１の画像データを取得する第１の画像データ取得ステップと、
前記撮像素子を遮光することにより第２の画像データを取得する第２の画像データ取得ステップと、
前記温度測定手段により測定された温度と前記光学系に係る位置とに基づいて、前記第１の画像データから前記第２の画像データを減算処理するノイズリダクション動作の実行を制御する制御ステップと
を有することを特徴とする撮像装置の駆動方法。
【請求項５】
前記光学系は、ズーム制御を行うズーム光学系を含むものであり、
前記制御ステップでは、前記温度測定手段により測定された温度と前記ズーム光学系に係るズーム位置とに基づいて、前記ノイズリダクション動作の実行を制御することを特徴とする請求項４に記載の撮像装置の駆動方法。
【請求項６】
前記光学系は、フォーカス制御を行うフォーカス光学系を含むものであり、
前記制御ステップでは、前記温度測定手段により測定された温度と前記フォーカス光学系に係るフォーカス位置とに基づいて、前記ノイズリダクション動作の実行を制御することを特徴とする請求項４に記載の撮像装置の駆動方法。
【発明の詳細な説明】
【技術分野】
【０００１】
本発明は、いわゆるノイズリダクション動作を実行する撮像装置及びその駆動方法に関するものである。
【背景技術】
【０００２】
近年、ＣＭＯＳ、ＣＣＤ等の撮像素子で撮像した静止画像や動画像を記録したり、再生したりする電子カメラ等の撮像装置が盛んに開発され、市販されている。
【０００３】
ＣＭＯＳ、ＣＣＤ等の撮像素子を用いて撮像をする場合、撮像素子を露光しない状態で通常撮影と同様に電荷蓄積を行った後に読み出したダーク撮影画像データと、撮像素子を露光した状態で電荷蓄積を行った後に読み出した通常撮影画像データとを用いて演算処理することにより、いわゆるノイズリダクション処理を行うことが可能である。
【０００４】
この補正処理により、ＣＭＯＳ、ＣＣＤ等の撮像素子に発生する暗電流ノイズや、撮像素子に固有の微少なキズ（例えば、点キズ）による画素欠損等の画質劣化を低減することができる。特に、暗電流ノイズは、電荷蓄積時間の長時間化及び撮像素子の温度上昇に応じて増大するため、この補正処理は、長時間に亘る露光や高温時に露光を行う場合に大きな画質改善効果をもたらす。したがって、電子カメラの使用者にとって、このノイズリダクション処理は、極めて有益な補正処理であると言える。
【０００５】
従来の撮像装置におけるノイズリダクション処理の方法としては、撮像素子を露光しない状態で電荷蓄積を行ってダーク画像を得るとともに、あらかじめ撮像素子の温度を取得し、この温度に応じてノイズリダクションの度合いを決定するものがある。この技術は、例えば、下記の特許文献１に開示されている。
【０００６】
【特許文献１】特開２００１−２８７１３号公報
【発明の開示】
【発明が解決しようとする課題】
【０００７】
しかしながら、部品構成上の都合や、コスト的な要因から、温度センサを撮像装置の鏡筒に配置しなければならないことがあり、この場合、ズームレンズの位置やフォーカスレンズの位置により温度センサから出力される温度データが異なってしまう。すなわち、ズームレンズの位置やフォーカスレンズの位置ごとに画像のノイズ特性が異なってしまう。そのため、温度センサと撮像素子との距離が大きくなるズーム位置やフォーカス位置ではノイズリダクション動作が始まるのが遅く、一方、温度センサと撮像素子との距離が小さくなるズーム位置やフォーカス位置ではノイズリダクション動作が始まるのが早くなる。これにより、撮像素子の実際の温度を反映した適切なノイズリダクション動作を行うことができず、ノイズリダクション性に優れた撮像画像を取得することができないという問題があった。
【０００８】
本発明は上述の問題点にかんがみてなされたものであり、撮像素子の実際の温度を反映した適切なノイズリダクション動作を行えるようにして、ノイズリダクション性に優れた撮像画像の取得を実現する撮像装置及びその駆動方法を提供することを目的とする。
【課題を解決するための手段】
【０００９】
本発明の撮像装置は、入射した被写体像を画像信号として検出する撮像素子と、前記被写体像を前記撮像素子に対して入射させる光学系と、当該撮像装置内の温度を測定する温度測定手段と、前記撮像素子に対して露光を行うことにより第１の画像データを取得する第１の画像データ取得手段と、前記撮像素子を遮光することにより第２の画像データを取得する第２の画像データ取得手段と、前記温度測定手段により測定された温度と前記光学系に係る位置とに基づいて、前記第１の画像データから前記第２の画像データを減算処理するノイズリダクション動作の実行を制御する制御手段とを有する。
【００１０】
本発明の撮像装置の駆動方法は、入射した被写体像を画像信号として検出する撮像素子と、前記被写体像を前記撮像素子に対して入射させる光学系と、当該撮像装置内の温度を測定する温度測定手段とを具備する撮像装置の駆動方法であって、前記撮像素子に対して露光を行うことにより第１の画像データを取得する第１の画像データ取得ステップと、前記撮像素子を遮光することにより第２の画像データを取得する第２の画像データ取得ステップと、前記温度測定手段により測定された温度と前記光学系に係る位置とに基づいて、前記第１の画像データから前記第２の画像データを減算処理するノイズリダクション動作の実行を制御する制御ステップとを有する。
【発明の効果】
【００１１】
本発明によれば、撮像素子の実際の温度を反映した適切なノイズリダクション動作を実行することができ、ノイズリダクション性に優れた撮像画像を取得することができる。
【発明を実施するための最良の形態】
【００１２】
（第１の実施形態）
以下、本発明の第１の実施形態を、図１〜図７を参照しながら説明を行う。
図１は、第１の実施形態に係る撮像装置の概略構成を示すブロック図である。
ズーム光学系６０１は、入射する被写体像を拡大したり縮小したりするものである。フォーカス光学系６０２は、カメラの焦点を合わせるためのものである。メカニカルシャッタ（図１ではメカシャッタと記す）６０３は、露光量を調整するものである。撮像素子６０４は、入射した被写体からの光学像を電気信号として検出するものであり、当該検出を行う受光素子のフォトダイオードが２次元行列状に複数配置されて形成されている。本実施形態の撮像素子６０４は、例えば、４相駆動のインターライン型全フォトダイオード読出しを行うもので構成されている。
【００１３】
ＣＤＳ６０５は、撮像素子６０４の出力信号（アナログ信号）を相関二重サンプリングする。ＡＧＣ６０６は、ＣＤＳ６０５の出力信号を適当なレベルに増幅する。Ａ／Ｄ変換器６０７は、ＣＤＳ６０５から出力されたアナログ信号をディジタル信号に変換する。信号処理部６０８は、後述するシステム制御部６１９からの制御信号に応じて各種の信号処理を行うものである。また、信号処理部６０８は、撮像素子６０４のフォトダイオード毎に出力される画像信号に対し、各種の補正処理を行う前処理部や、記録用の信号処理を施す記録信号処理部を有して構成されている。
【００１４】
メモリ６０９は、色シェーディング補正係数や輝度シェーディング補正係数等を格納しており、信号処理部６０８によって適宜必要なデータが読み出される。フレームメモリ部６１０は、デジタル信号に変換された撮像素子６０４からの画像信号や、信号処理部６０８で画像信号処理がなされたカラー画像信号に基づく画像データを一時的に記憶しておくものである。記録メディア６１１は、撮影された画像データを最終的に記録するためのものである。圧縮・伸張処理部６１２は、後述するシステム制御部６１９からの制御信号に応じて、フレームメモリ部６１０に記憶された画像データに対して圧縮処理や伸張処理を行う。
【００１５】
ストロボ発光部（図１ではストロボと記す）６１３は、閃光を発生させるものである。ストロボ駆動部６１４は、後述するシステム制御部６１９からの制御信号に応じて、ストロボ発光部６１３に閃光の発生を促す駆動信号を出力する。
【００１６】
光学系駆動部６１５は、後述するシステム制御部６１９からの制御信号に応じて、定電圧やドライブ能力を強化させたパルスを供給することにより、ズーム光学系６０１及びフォーカス光学系６０２を駆動させる。メカシャッタ駆動部（図１ではシャッタ駆動部と記す）６１６は、後述するシステム制御部６１９からの制御信号に応じて、定電圧やドライブ能力を強化させたパルスを供給することにより、メカニカルシャッタ６０３を駆動させる。撮像駆動部６１７は、後述するシステム制御部６１９からの制御信号に応じて、定電圧やドライブ能力を強化させたパルスを供給することにより、撮像素子６０４を駆動させる。
【００１７】
タイミング信号発生部６１８は、後述するシステム制御部６１９からの制御信号に応じて、基準駆動信号をメカシャッタ駆動部６１６及び撮像駆動部６１７に供給する。システム制御部６１９は、当該撮像装置の電源の投入、撮影前の画像表示の指示、撮影の指示などの操作部６２２からの指令等に基づいて、当該撮像装置全体を統括的に制御する。
【００１８】
表示用信号処理部６２０は、画像データに対して後述する画像表示装置６２１に表示するための信号処理を行う。画像表示装置６２１は、撮影前の構図決めや、撮影された後の画像の確認に使用されるものであり、電子ビューファインダーや液晶ディスプレイが用いられる。操作部６２２は、当該撮像装置に対する撮影者からの指令等を入力するためのものである。温度センサ６２３は、ズーム光学系６０１、フォーカス光学系６０２及びメカニカルシャッタ６０３を含む鏡筒に配置されており、当該撮像装置内の温度を測定するものである。メモリ６２４には、システム制御部６１９において、当該撮像装置における駆動制御に必要なプログラムや各種のテーブルデータ等が記憶されている。ここで、メモリ６２４には、撮像素子６０４の位置からズーム光学系６０１のズーム時における温度センサ６２３の位置までの距離とノイズリダクション動作を行う際の温度センサ６２３の温度とが１対１で対応したテーブルデータが予め記憶されている。
【００１９】
図２は、撮像素子６０４の内部構成を示す概略構成図である。図２には、撮像素子６０４として、いわゆるインターライン型全フォトダイオード読み出しを行う撮像素子が構成されている。
【００２０】
撮像素子６０４は、２次元行列状に配置されたフォトダイオード３０１と、垂直電荷転送路３０２と、水平電荷転送路３０３と、信号出力端子３０５を具備する出力部３０４を有して構成されている。
【００２１】
各フォトダイオード３０１で光電変換された信号電荷は、読み出しパルスにより各垂直電荷転送路３０２に送られ、各４相駆動パルスφＶ１、φＶ２、φＶ３及びφＶ４の入力により、水平電荷転送路３０３の方向へ順次転送される。水平電荷転送路３０３は、各２相駆動パルスφＨ１及びφＨ２の入力により、各垂直電荷転送路３０２から転送されてきた１行分のフォトダイオードの信号電荷を出力部３０４に転送する。出力部３０４では、水平電荷転送路３０３から転送されてきた信号電荷を電圧に変換して信号出力端子３０５から出力する。
【００２２】
図３は、図２に示した各フォトダイオード３０１上に構成される色フィルタの一例を示す図である。
図３において、「Ｒ」は赤色の色フィルタを示し、「Ｇ」は緑色の色フィルタを示し、「Ｂ」は青色の色フィルタを示している。この図３に示した色フィルタアレイの配列は、原色の色フィルタ配列のなかでも、特に、ベイヤ配列と呼ばれるものであり、高い解像度と優れた色再現性を備えた色フィルタ配列となっている。
【００２３】
図４は、図２に示した撮像素子６０４の内部構成を模式的に示す図である。また、各フォトダイオード３０１には、図３に示した各色フィルタが構成されている。各垂直電荷転送路３０２には、各フォトダイオード３０１に対応して、各４相駆動パルスφＶ１、φＶ２、φＶ３及びφＶ４の加わる各転送電極Ｖ１、Ｖ２、Ｖ３及びＶ４が設けられている。水平電荷転送路３０３には、各垂直電荷転送路３０２に対応して、各２相駆動パルスφＨ１及びφＨ２の加わる各転送電極Ｈ１及びＨ２が設けられている。
【００２４】
ここで、図４の場合には、垂直電荷転送路３０２における信号電荷の転送方向が下方向であり、また、水平電荷転送路３０３における信号電荷の転送方向が左方向である場合を示している。さらに、フォトダイオード３０１で光電変換された信号電荷を垂直電荷転送路３０２に読み出すパルスは、垂直電荷転送電極と読み出し電極を兼ねている転送電極Ｖ１に印加される。
【００２５】
次に、第１の実施形態に係る撮像装置の駆動方法について説明する。
図５〜図７は、第１の実施形態に係る撮像装置の駆動方法を示すフローチャートである。
まず、図５のステップＳ１０１において、システム制御部６１９は、当該撮像装置の各構成部に対するフラグや制御変数等を初期化し、必要な所定の初期設定を行う。
【００２６】
続いて、ステップＳ１０２において、システム制御部６１９は、シャッタスイッチＳＷ１（不図示）がオンであるか否かを判断する。この判断の結果、シャッタスイッチＳＷ１がオンでなくオフである場合にはステップＳ１０２で待機し、一方、シャッタスイッチＳＷ１がオンである場合にはステップＳ１０３に進む。
【００２７】
続いて、ステップＳ１０３において、システム制御部６１９は、測距処理を行って撮影し、フォーカス光学系６０２内のレンズの焦点を被写体に合わせて測光処理を行う測距・測光処理を行う。この際、システム制御部６１９は、測距・測光処理に係る測距データや測光データあるいはその設定パラメータを、例えば自身の内部メモリに記憶する。
【００２８】
続いて、ステップＳ１０４において、システム制御部６１９は、電荷蓄積時間を決定する。具体的に、システム制御部６１９は、まず、測距データや測光データあるいはその設定パラメータと、設定されている撮影モードとに基づいて、絞り値（Ａｖ値）及びシャッタ速度（Ｔｖ値）を決定し、次いで、当該シャッタ速度に応じて電荷蓄積時間を決定する。この際、システム制御部６１９は、決定した電荷蓄積時間を、例えば自身の内部メモリに記憶する。
【００２９】
続いて、ステップＳ１０５において、システム制御部６１９は、シャッタスイッチＳＷ２（不図示）がオンであるか否かを判断する。この判断の結果、シャッタスイッチＳＷ２がオンでなくオフである場合にはステップＳ１０２に戻り、一方、シャッタスイッチＳＷ２がオンである場合にはステップＳ１０６に進む。
【００３０】
続いて、ステップＳ１０６において、システム制御部６１９は、温度センサ６２３を用いて、撮像素子６０４の前面に配置され、当該温度センサ６２３が取り付けられた鏡筒の温度を測定する。そして、システム制御部６１９は、当該測定結果である温度測定データあるいは温度測定コードの値である温度データＴを、例えば自身の内部メモリに記憶する。
【００３１】
続いて、ステップＳ１０７において、システム制御部６１９は、自身の内部メモリに格納されている情報等に基づいて、撮像素子６０４の位置からズーム光学系６０１のズーム時における温度センサ６２３の位置までの距離Ｌをズーム位置データとして取得する。ここで、第１の実施形態におけるメモリ６２４には、ズーム位置とノイズリダクション動作を行う際の温度センサ６２３の温度とが１対１で対応したテーブルデータが予め記憶されている。具体的に、第１の実施形態におけるメモリ６２４には、例えば、ズーム位置Ｌが、Ｌ≦Ｌ1であれば温度Ｔ1、Ｌ1＜Ｌ≦Ｌ2であれば温度Ｔ2、Ｌ＞Ｌ2であれば温度Ｔ3というようなテーブルデータが記憶されている。ただし、Ｌ1、Ｌ2は撮像素子６０４から温度センサ６２３までの所定の距離を表し、Ｌ1＜Ｌ2である。また、Ｔ1、Ｔ2及びＴ3は、ノイズリダクション動作が行われる際の切り換え温度を表し、Ｔ1＞Ｔ2＞Ｔ3である。
【００３２】
続いて、ステップＳ１０８において、システム制御部６１９は、ステップＳ１０７で取得したズーム位置データに対応するテーブルデータを、メモリ６２４から読み出し取得する。
【００３３】
続いて、ステップＳ１０９において、システム制御部６１９は、ノイズリダクション動作を行うか否かを判断する。このステップＳ１０９の判断は、ステップＳ１０８で取得したテーブルデータを参照して、ステップＳ１０６で取得した温度データＴと、ステップＳ１０７で取得したズーム位置データＬとに基づいて行われる。このステップＳ１０９での判断の結果、ノイズリダクション動作を行う場合には、図６のステップＳ１１０に進み、一方、ノイズリダクション動作を行わない場合には、図７のステップＳ１２０に進む。
【００３４】
ステップＳ１０９でノイズリダクション動作を行うと判断された場合、続いて、図６のステップＳ１１０において、システム制御部６１９は、撮像素子６０４に対して露光を行って通常撮影を行う。この場合、まず、システム制御部６１９は、撮像素子６０４の各フォトダイオード３０１に所定時間蓄積された信号電荷を順次読み出す制御を行う。次いで、システム制御部６１９は、ＣＤＳ６０５、ＡＧＣ６０６、Ａ／Ｄ変換器６０７及び信号処理部６０８にて所定の処理が行われて生成された画像信号に基づく通常撮影画像データ（第１の画像データ）を、例えばフレームメモリ部６１０に記憶する制御を行う。
【００３５】
続いて、ステップＳ１１１において、システム制御部６１９は、撮像素子６０４に対して遮光した状態で撮影するダーク撮影を行う。そして、システム制御部６１９は、当該ダーク撮影により生成されたダーク撮影画像データ（第２の画像データ）を、例えばフレームメモリ部６１０に記憶する制御を行う。
【００３６】
続いて、ステップＳ１１２において、システム制御部６１９は、ステップＳ１１０で生成された通常撮影画像データに対してステップＳ１１１で生成されたダーク撮影画像データを減算する減算処理を行う。この際、システム制御部６１９は、この減算処理を、例えば信号処理部６０８に対して行わせるようにしてもよい。そして、この減算処理を行うことにより、撮像素子６０４の暗電流ノイズ等を打ち消すダーク補正処理を行うことができる。
【００３７】
続いて、ステップＳ１１３において、システム制御部６１９は、ステップＳ１１２においてダーク補正処理がなされた画像データに対して、シェーディング補正処理を行う。この際、システム制御部６１９は、このシェーディング補正処理を、例えば信号処理部６０８に対して行わせるようにする。
【００３８】
続いて、ステップＳ１１４において、システム制御部６１９は、ステップＳ１１３においてシェーディング補正処理がなされた画像データに対して、点キズ補正処理を行う。この際、システム制御部６１９は、この点キズ補正処理を、例えば信号処理部６０８に対して行わせるようにする。
【００３９】
続いて、ステップＳ１１５において、システム制御部６１９は、ステップＳ１１４において点キズ補正処理がなされた画像データを現像処理する。具体的に、システム制御部６１９は、現像処理を行うのに必要なホワイトバランス積分演算処理や、オプティカルブラック積分演算処理を行って画像データを現像処理する。そして、当該画像データを、例えばフレームメモリ部６１０に記憶する制御を行う。
【００４０】
続いて、ステップＳ１１６において、システム制御部６１９は、圧縮・伸張処理部６１２に対して、ステップＳ１１５で現像処理された画像データの圧縮・伸張処理を行わせる。
【００４１】
続いて、ステップＳ１１７において、システム制御部６１９は、ステップＳ１１６においてフレームメモリ部６１０に記憶された画像データを読み出して、記録メディア６１１に記録する記録処理を行う。
【００４２】
一方、ステップＳ１０９でノイズリダクション動作を行わないと判断された場合、続いて、図７のステップＳ１２０において、システム制御部６１９は、撮像素子６０４に対して露光を行って通常撮影を行う。この場合、まず、システム制御部６１９は、撮像素子６０４の各フォトダイオード３０１に所定時間蓄積された信号電荷を順次読み出す制御を行う。次いで、システム制御部６１９は、ＣＤＳ６０５、ＡＧＣ６０６、Ａ／Ｄ変換器６０７及び信号処理部６０８にて所定の処理が行われて生成された画像信号に基づく通常撮影画像データを、例えばフレームメモリ部６１０に記憶する制御を行う。
【００４３】
続いて、ステップＳ１２１において、システム制御部６１９は、ステップＳ１２０において撮影された通常撮影画像データに対して、シェーディング補正処理を行う。この際、システム制御部６１９は、このシェーディング補正処理を、例えば信号処理部６０８に対して行わせるようにする。
【００４４】
続いて、ステップＳ１２２において、システム制御部６１９は、ステップＳ１２１においてシェーディング補正処理がなされた画像データに対して、点キズ補正処理を行う。この際、システム制御部６１９は、この点キズ補正処理を、例えば信号処理部６０８に対して行わせるようにする。
【００４５】
続いて、ステップＳ１２３において、システム制御部６１９は、ステップＳ１２２において点キズ補正処理がなされた画像データを現像処理する。具体的に、システム制御部６１９は、現像処理を行うのに必要なホワイトバランス積分演算処理や、オプティカルブラック積分演算処理を行って画像データを現像処理する。そして、当該画像データを、例えばフレームメモリ部６１０に記憶する制御を行う。
【００４６】
続いて、ステップＳ１２４において、システム制御部６１９は、圧縮・伸張処理部６１２に対して、ステップＳ１２３で現像処理された画像データの圧縮・伸張処理を行わせる。
【００４７】
続いて、ステップＳ１２５において、システム制御部６１９は、ステップＳ１２４においてフレームメモリ部６１０に記憶された画像データを読み出して、記録メディア６１１に記録する記録処理を行う。
【００４８】
（第２の実施形態）
第２の実施形態に係る撮像装置の概略構成は、図１に示した第１の実施形態に係る撮像装置の概略構成と同様である。
【００４９】
図８は、第２の実施形態に係る撮像装置の駆動方法を示すフローチャートである。
第２の実施形態では、まず、図５に示したステップＳ１０１〜ステップＳ１０６までの処理を経る。
【００５０】
続いて、ステップＳ２０１において、システム制御部６１９は、自身の内部メモリに格納されている情報等に基づいて、撮像素子６０４の位置からフォーカス光学系６０２のフォーカス時における温度センサ６２３の位置までの距離Ｌをフォーカス位置データとして取得する。ここで、第２の実施形態におけるメモリ６２４には、フォーカス位置とノイズリダクション動作を行う際の温度センサ６２３の温度とが１対１で対応したテーブルデータが予め記憶されている。具体的に、第２の実施形態におけるメモリ６２４には、フォーカス位置Ｌが、Ｌ≦Ｌ1であれば温度Ｔ1、Ｌ1＜Ｌ≦Ｌ2であれば温度Ｔ2、Ｌ＞Ｌ2であれば温度Ｔ3というようなテーブルデータが記憶されている。ただし、Ｌ1、Ｌ2は撮像素子６０４から温度センサ６２３までの所定の距離を表し、Ｌ1＜Ｌ2である。また、Ｔ1、Ｔ2及びＴ3は、ノイズリダクション動作が行われる際の切り換え温度を表し、Ｔ1＞Ｔ2＞Ｔ3である。
【００５１】
続いて、ステップＳ２０２において、システム制御部６１９は、ステップＳ２０１で取得したフォーカス位置データに対応するテーブルデータを、メモリ６２４から読み出し取得する。
【００５２】
続いて、ステップＳ２０３において、システム制御部６１９は、ノイズリダクション動作を行うか否かを判断する。このステップＳ２０３の判断は、ステップＳ２０２で取得したテーブルデータを参照して、ステップＳ１０６で取得した温度データＴと、ステップＳ２０１で取得したフォーカス位置データＬとに基づいて行われる。このステップＳ２０３での判断の結果、ノイズリダクション動作を行う場合には、図６のステップＳ１１０に進み、一方、ノイズリダクション動作を行わない場合には、図７のステップＳ１２０に進む。これ以降の図６における処理又は図７における処理は、第１の実施形態と同様であるため、その説明は省略する。
【００５３】
本発明の実施形態によれば、温度センサ６２３で測定された温度データと光学系（ズーム光学系６０１あるいはフォーカス光学系６０２）に係る位置とに基づいて、撮像素子６０４に対して露光を行うことにより得られた通常撮影画像データ（第１の画像データ）から撮像素子６０４を遮光することにより得られたダーク撮影画像データ（第２の画像データ）を減算処理するノイズリダクション動作の実行を制御するようにしたので、ズーム位置やフォーカス位置に応じて取得できる温度データが異なってしまう状況であっても、撮像素子の実際の温度を反映した適切なノイズリダクション動作を実行することができ、ノイズリダクション性に優れた撮像画像を取得することができる。
【００５４】
前述した本発明の各実施形態に係る撮像装置を構成する図１の各手段、並びに撮像装置の駆動方法を示した図５〜図８の各ステップは、コンピュータのＲＡＭやＲＯＭなどに記憶されたプログラムが動作することによって実現できる。このプログラム及び当該プログラムを記録したコンピュータ読み取り可能な記憶媒体は本発明に含まれる。
【００５５】
具体的に、前記プログラムは、例えばＣＤ−ＲＯＭのような記憶媒体に記録し、あるいは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【００５６】
また、コンピュータが供給されたプログラムを実行することにより本発明の各実施形態に係る撮像装置の機能が実現されるだけでなく、そのプログラムがコンピュータにおいて稼働しているＯＳ（オペレーティングシステム）あるいは他のアプリケーションソフト等と共同して本発明の各実施形態に係る撮像装置の機能が実現される場合や、供給されたプログラムの処理の全て、あるいは一部がコンピュータの機能拡張ボードや機能拡張ユニットにより行われて本発明の各実施形態に係る撮像装置の機能が実現される場合も、かかるプログラムは本発明に含まれる。
【図面の簡単な説明】
【００５７】
【図１】第１の実施形態に係る撮像装置の概略構成を示すブロック図である。
【図２】撮像素子の内部構成を示す概略構成図である。
【図３】図２に示した各フォトダイオード上に構成される色フィルタの一例を示す図である。
【図４】図２に示した撮像素子の内部構成を模式的に示す図である。
【図５】第１の実施形態に係る撮像装置の駆動方法を示すフローチャートである。
【図６】図５に引き続き、第１の実施形態に係る撮像装置の駆動方法を示すフローチャートである。
【図７】図５に引き続き、第１の実施形態に係る撮像装置の駆動方法を示すフローチャートである。
【図８】第２の実施形態に係る撮像装置の駆動方法を示すフローチャートである。
【符号の説明】
【００５８】
３０１：フォトダイオード
３０２：垂直電荷転送路
３０３：水平電荷転送路
３０４：出力部
３０５：信号出力端子
６０１：ズーム光学系
６０２：フォーカス光学系
６０３：メカニカルシャッタ
６０４：撮像素子
６０５：ＣＤＳ
６０６：ＡＧＣ
６０７：Ａ／Ｄ変換器
６０８：信号処理部
６０９：メモリ
６１０：フレームメモリ部
６１１：記録メディア
６１２：圧縮・伸張処理部
６１３：ストロボ発光部
６１４：ストロボ駆動部
６１５：光学系駆動部
６１６：メカシャッタ駆動部
６１７：撮像駆動部
６１８：タイミング信号発生部
６１９：システム制御部
６２０：表示用信号処理部
６２１：画像表示装置
６２２：操作部
６２３：温度センサ
６２４：メモリ
【図１】
2007300189.tif 000003
【図２】
2007300189.tif 000004
【図３】
2007300189.tif 000005
【図４】
2007300189.tif 000006
【図５】
2007300189.tif 000007
【図６】
2007300189.tif 000008
【図７】
2007300189.tif 000009
【図８】
2007300189.tif 000010